(57)【要約】通信装置に格納されたディジタルコンテンツを選択し、コンテンツトランスコード情報に基づいて選択されたディジタルコンテンツから通信装置でコンテンツプレビューを生成することによる、コンテンツプレビューをエンドユーザが生成するための方法および装置。１実施形態では、移動無線通信装置（３００）は、例えばピアツーピア通信のための、コンテンツトランスコード情報に基づいてメモリに格納されたコンテンツからコンテンツプレビューを生成するためのコンテンツプレビュー生成器（３４０）と、移動無線通信装置からのコンテンツプレビューを共有するための送信機（３８０）とを備えている。
2006514359.tif 000002
【特許請求の範囲】
【請求項１】
第１ピア通信装置と第２のピア通信装置との間のピアツーピア通信においてディジタルコンテンツを転送する方法であって、
第１のピア通信装置に格納されたディジタルコンテンツを選択すること、
選択されたディジタルコンテンツから、第１のピア通信装置で、コンテンツプレビューを生成すること、
第１のピア通信装置から第２のピア通信装置にコンテンツプレビューを送信すること、から成る方法。
【請求項２】
コンテンツプレビューの生成に対する制限を指定する対応するコンテンツトランスコード情報に基づいて、コンテンツプレビューを生成する、請求項１に記載の方法。
【請求項３】
第１のピア通信装置のユーザインタフェースからコンテンツプレビューに含まれるよう選択されたディジタルコンテンツの少なくとも一部分を選択することにより、コンテンツプレビューを生成する、請求項１に記載の方法。
【請求項４】
選択された同じディジタルコンテンツから、第１のピア通信装置で、複数の少なくとも２つの異なるコンテンツプレビューを生成する、請求項１に記載の方法。
【請求項５】
対応するコンテンツプレビューに含まれるよう選択されたディジタルコンテンツの複数の異なる部分を選択することにより、第１のピア通信装置で、複数の少なくとも２つの異なるコンテンツプレビューを生成する、請求項４に記載の方法。
【請求項６】
第１のピア通信装置から少なくとも１つの他のピア通信装置に、複数の少なくとも２つの異なるコンテンツプレビューを送信する、請求項４に記載の方法。
【請求項７】
第１のピア通信装置は、ディジタルコンテンツの権利と、生成されたコンテンツプレビューを配布する権利とを有し、
前記ディジタルコンテンツの権利を放棄せずに、第１のピア通信装置から第２のピア通信装置にコンテンツプレビューを送信する、請求項１に記載の方法。
【請求項８】
移動無線通信装置における方法であって、
移動無線通信装置に格納されたディジタルコンテンツを選択すること、
移動無線通信装置は選択されたディジタルコンテンツからコンテンツプレビューを生成する権利を有すること、
選択されたディジタルコンテンツから、移動無線通信装置で、コンテンツプレビューを生成すること、
から成る方法。
【請求項９】
選択されたディジタルコンテンツに対して指定されたコンテンツプレビュー生成の制限内でコンテンツプレビューを生成する、請求項８に記載の方法。
【請求項１０】
無線通信装置の受信機でディジタルコンテンツとコンテンツトランスコード情報を受け取る、請求項９に記載の方法。
【請求項１１】
移動無線通信装置のユーザインタフェースからコンテンツプレビューに含まれるよう選択されたディジタルコンテンツの少なくとも一部分を選択することにより、コンテンツプレビューを生成する、請求項８に記載の方法。
【請求項１２】
選択された同じディジタルコンテンツから、移動無線通信装置で、複数の少なくとも２つの異なるコンテンツプレビューを生成する、請求項８に記載の方法。
【請求項１３】
移動無線通信装置に格納された、選択されたディジタルコンテンツに対するコンテンツプレビュー生成の制限を指定するコンテンツトランスコード情報に基づいて、複数の少なくとも２つの異なるコンテンツプレビューを生成する、請求項１２に記載の方法。
【請求項１４】
移動無線通信装置のユーザインタフェースから異なるコンテンツプレビューに含まれるよう選択されたディジタルコンテンツの複数の異なる部分を選択することにより、複数のコンテンツプレビューを生成する、請求項１３に記載の方法。
【請求項１５】
選択された同じディジタルコンテンツに対して、移動無線通信装置で、複数の少なくとも２つの異なるコンテンツプレビューを生成し、該複数の異なるコンテンツプレビューの内の少なくとも２つは、選択された同じディジタルコンテンツの複数の異なる部分を含む、請求項８に記載の方法。
【請求項１６】
移動無線通信装置は、ディジタルコンテンツの権利と、生成されたコンテンツプレビューを配布する権利とを有し、
前記ディジタルコンテンツの権利を放棄せずに、移動無線通信装置からコンテンツプレビューを送信する、請求項１０に記載の方法。
【請求項１７】
移動無線通信装置における方法であって、
移動無線通信装置に格納されたディジタルコンテンツを選択すること、
選択された同じディジタルコンテンツから、移動無線通信装置で、複数の異なるコンテンツプレビューを生成すること、
から成る方法。
【請求項１８】
移動無線通信装置であって、
メモリに格納されたディジタルコンテンツおよび対応するコンテンツトランスコード情報、
前記コンテンツトランスコード情報は、前記対応するディジタルコンテンツからコンテンツプレビューを生成するためのパラメータを指定すること、
コンテンツプレビュー生成器、
前記コンテンツプレビュー生成器は前記コンテンツトランスコード情報に基づいてメモリに格納されたコンテンツからコンテンツプレビューを生成すること、および
移動無線通信装置からのコンテンツプレビューを共有するための送信機、
を備えた移動無線通信装置。
【請求項１９】
前記コンテンツトランスコード情報は、コンテンツプレビューが生成されてよいか否かを指定し、
前記コンテンツプレビュー生成器は、コンテンツトランスコード情報がコンテンツプレビューが生成されてよいことを指定した場合にのみ、選択されたディジタルコンテンツに対するコンテンツプレビューを生成する、請求項１８に記載の移動無線通信装置。
【請求項２０】
移動無線通信装置でディジタルコンテンツからコンテンツプレビューが生成されることを可能にするディジタルコンテンツトランスコードデータ構造であって、
ディジタルコンテンツトランスコードデータ構造を対応するディジタルコンテンツに関連付けるディジタルコンテンツ識別情報と、
ディジタルコンテンツトランスコードデータ構造が関連付けられた前記対応するディジタルコンテンツに対するユーザ生成のコンテンツプレビューに対する制限を指定するディ
ジタルコンテンツプレビュー生成情報と、
を含むディジタルコンテンツトランスコードデータ構造。
【請求項２１】
ディジタルコンテンツトランスコードデータ構造が関連付けられた前記対応するディジタルコンテンツに対して生成されるコンテンツプレビューに含まれるようコンテンツプレビュー生成器によって選択され得るディジタルコンテンツの部分を指定する、少なくとも１つのディジタルコンテンツプレビュー生成制限
を含む請求項２０に記載のディジタルコンテンツトランスコードデータ構造。
【発明の詳細な説明】
【技術分野】
【０００１】
本発明は、一般にディジタルコンテンツの通信に関し、より詳細には、著作権で保護されたディジタルコンテンツのピアツーピア転送を含めた通信装置間での権利保護主体であり得るディジタル情報の共有と、そのための方法とに関する。
【背景技術】
【０００２】
著作権で保護されたディジタルコンテンツの転送が、一般に知られている。現在、コンテンツプロバイダはコンテンツプレビューのための唯一の供給源であり、コンテンツプレビューは通常は自由に転送され得る。コンテンツプレビューの受取人は、コンテンツ使用料（license fee)の支払いに基づき、コンテンツサーバまたは他の供給源から、対応のコンテンツへの完全なアクセスおよび対応の権利を取得し得る。
【０００３】
発明の名称が「装置間で音楽コンテンツを共有するための方法および装置（Method And
Apparatus For Sharing Music Content Between Devices）」である特許文献１は、著作権で保護されたコンテンツのピアツーピア転送について開示している。特許文献１では、１人のユーザのライセンスのみが存在する場合に、著作権で保護されたコンテンツが装置から取り出され、コンテンツが受信装置に首尾よく転送されまたはコピーされたかが確認された上で、コンテンツは装置から転送される。多数のユーザのライセンスが許可されている場合、転送されるコンテンツコピーの数はコンテンツのコピーが首尾よく転送されるごとに転送装置のカウンタをデクリメントすることにより、制御される。
【０００４】
非特許文献１はコンテンツ利用の制御のためのコンテンツ配布の制御からのディジタルコンテンツ保護の発展について論じている。コンテンツ配布制御アーキテクチャでは、アプリケーションサーバは、支払い収集者（例えばネットワーク・オペレータ）による支払いを確認した上で、コンテンツを購入端末にダウンロードする。購入端末を超えて保護されたコンテンツを配布することは、コンテンツ送信ロックによって禁止されている。コンテンツ送信ロックはコンテンツまたはコンテンツのコピーが元の受取人によって再送信されるのを防止する。コンテンツ配布制御スキームは海賊版のセル方式携帯電話の着信音の普及を防止するために使用されている。
【０００５】
非特許文献１によれば、コンテンツ利用の制御アーキテクチャでは、コンテンツ使用権は、コンテンツとは別に作成され配布され得る引換券（voucher）で表現される。このア
ーキテクチャによれば、コンテンツは、引換券サーバによって、または引換券サーバに登録される。発行された引換券に対する支払いは、支払い収集エンティティ（例えばセル方式通信網のオペレータ）により収集される。登録されたコンテンツプレビューは、ピアツーピア通信の端末間で自由に転送され、引換券なしで閲覧され得るが、コンテンツは支払い収集エンティティから引換券を購入した場合にのみ完全にアクセスされ得る。
【０００６】
非特許文献２は、その第４．１５節で、元のコンテンツ消費者がコンテンツ権利を保持するが、後続のコンテンツ受取人はコンテンツを使用する権利を得なければならないコンテンツ超流通モデルについて議論している。第４．１６節では、別のコンテンツ超流通モデルが、どれだけ多くのコンテンツコピーを配布者が作成してもよいかを指定している。
【０００７】
本発明の様々な態様、特徴および利点は、以下に説明する添付図面と共に以下の発明の詳細な説明を注意深く考慮すれば当業者にはより完全に理解されるだろう。
【特許文献１】米国特許６，３７２，９７４号
【非特許文献１】ノキア(Nokia)社の刊行物  題名「モバイルコンテンツのデジタル権利管理と超流通（Digital Rights Management And Superdistribution of Mobile Content）」
【非特許文献２】コンテンツガード（CONTENTGUARD）社の刊行物  題名「拡張権利マークアップ言語（XrML）の用例  ２００１年１１月２０日（eXtensible rights Markup Language(XrML) Example Use cases 20 November 2001）」
【発明を実施するための最良の形態】
【０００８】
本発明は一般に、セル式電話、双方向ページャ、携帯情報端末（ＰＤＡ）等を始めとする移動無線装置や、他の無線通信装置による、それらの通信装置間でのコンテンツプレビューの生成および共有を始めとするディジタルコンテンツの管理および配布に関する。
【０００９】
しかしながら、ディジタルコンテンツの管理および配布ならびにコンテンツプレビューの生成および共有は、移動体通信装置に限定されない。本発明は、無線またはワイヤ線により通信する固定位置のピア装置、例えばインターネット加入者および他のネットワーククライアント装置にもより一般的に適用される。「通信装置」「ピア通信装置」という用語は上記のおよび他の固定および移動の通信装置のことを指している。
【００１０】
図１のプロセス流れ図１００において、ブロック１１０で、通信装置は例えば音声または映像、マルチメディアファイル、もしくは他のディジタルコンテンツであるディジタルコンテンツを受け取る。ディジタルコンテンツは、通信装置の種類および能力に依存して、通信装置の例えば不揮発性メモリまたはハードディスクドライブに、もしくは何らかの他の記憶媒体に、通常格納される。
【００１１】
いくつかの実施形態では、以下により十分に論じるように、ディジタルコンテンツはコンテンツプレビュー生成パラメータを指定するコンテンツトランスコード情報と関連付けられている。図１のブロック１１０に示されているように、コンテンツトランスコード情報も通信装置によって受け取られる。
【００１２】
いくつかの実施形態では、コンテンツトランスコード情報はコンテンツの不可欠な部分であり、別の実施形態では、コンテンツトランスコード情報はコンテンツとは別に関連付けられる。したがって、トランスコード情報はコンテンツ有りで送信されてもコンテンツ無しで送信されてもよいが、トランスコード情報はコンテンツプレビューを生成することを一般に要求される。１実施形態では、コンテンツプレビューは、通信装置で、例えば移動無線通信装置で、または以下により十分に論じるようなピアツーピア配布用の何らかの他の通信装置で、生成される。
【００１３】
１実施形態では、コンテンツトランスコード情報は、ディジタルコンテンツからのコンテンツプレビューの生成を可能にするデータ構造である。コンテンツトランスコード情報がコンテンツと別になっている実施形態では、トランスコード情報のデータ構造は、対応するコンテンツに該データ構造を関連付けるコンテンツ識別情報を含んでいる。トランスコードデータ構造はさらに他のデータ要素を含んでいてもよく、それには例えば、ディジタルコンテンツのトランスコードデータ構造が関連付けられた対応のディジタルコンテンツに対して生成されるコンテンツプレビューに対する制限を指定するディジタルコンテンツプレビュー生成情報が含まれる。トランスコード情報の上記のおよび他の態様については以下にさらに十分に論じる。
【００１４】
一般に、コンテンツは、権利保護、例えば著作権保護の主体であってもよいし、なくてもよい。コンテンツが著作権かまたは他の方法で保護されている場合、コンテンツの受取人は、コンテンツに関連する権利、他の移転可能な権利の中でも、例えばコンテンツを再生して閲覧する権利や、場合によっては、コンテンツを複製して配布する権利や、コンテ
ンツプレビューを含めたコンテンツからの派生物を生成する権利、も受け取り得る。
【００１５】
図２の例証的な通信システムのアーキテクチャ２００では、コンテンツおよび任意の関連する権利ならびにトランスコード情報が、セル方式通信網によりコンテンツサーバ２１０から移動無線通信装置２３０に供給される。セル方式通信網は一般に、地上基地局送受信機２２０および他のインフラストラクチュア（公知であるが図示しない）を含んでいる。従って、移動無線装置２３０は、装置２３０のセル方式無線送受信機を介してコンテンツを受け取る。
【００１６】
他のアーキテクチャでは、コンテンツとその関連情報は、他のタイプの無線受信機により、例えば、ＩＥＥＥ  ８０２．１１の種類の受信機のうちの一つによりまたはＢｌｕｅｔｏｏｔｈ受信機により受け取られる。代わりに、コンテンツは、例えば、電話回線またはケーブルモデム接続などによってインターネットまたは別のネットワークもしくはサーバに接続された加入者に、ワイヤ線を介して伝達されてもよい。別の実施形態では、装置は通信の他のモードによってコンテンツ装置を受け取ってもよく、例えばコンテンツは装置の記憶媒体に伝達されてもよいし、または、コンテンツを備えたファームウェアが装置にインストールされてもよい。
【００１７】
図１のブロック１２０で、通信装置に格納されたディジタルコンテンツは、対応するコンテンツプレビューの送信または生成のいずれかを行うために選択されるに。ブロック１３０で、コンテンツプレビューは、選択されたディジタルコンテンツから、移動無線通信装置にて生成される。コンテンツの選択およびコンテンツプレビューの生成は、例えば装置メモリに格納されディジタルプロセッサによって動作されるプレビュー生成アプリケーションを使用して、通信装置のユーザインタフェースにてユーザにより実行される。
【００１８】
選択されたディジタルコンテンツに対して生成されるコンテンツプレビューは、コンテンツプロバイダによってではなく、例えば通信装置のユーザ（例えばライセンスを受けたコンテンツ受取人）によって作成される。いくつかの実施形態では、プレビュー作成者はプレビューの生成の際に広範な裁量を有するが、別の実施形態ではプレビュー作成者はそのような裁量を持たない。一般に、コンテンツ作成者は、例えばピアツーピア通信で、他者にコンテンツプレビューを配布し得る。
【００１９】
コンテンツプレビューは、関連のディジタルコンテンツのためのプレビューコンテンツの生成を可能にする関連のトランスコード情報に基づいて、通信装置で生成される。コンテンツトランスコード情報はさらに、コンテンツプレビュー作成者によって選択され得る広いまたは狭い範囲のコンテンツプレビュー変数の指定により、とりわけコンテンツプレビュー生成に対する制限も指定し得る。したがって、いくつかの実施形態では、示唆されるように、トランスコード情報は、かなりの程度のカスタマイゼーションを有するコンテンツプレビューの生成を可能にする。しかしながら別の実施形態では、コンテンツトランスコード情報は、例えばただ１つの予め定義されたタイプのコンテンツプレビューの生成を許容することにより、コンテンツプレビューのカスタマイゼーションの程度を厳密に制限してもよい。
【００２０】
コンテンツトランスコード情報により指定され得る変数の例には、例えばコンテンツプレビューに含まれるよう選択され得るディジタルコンテンツの１または複数の部分の識別情報が含まれ得る。例えば、ビデオクリップまたはオーディオファイルの特定の部分だけが、コンテンツプレビューに組み込むために利用可能であり得る。コンテンツプレビューに含まれなければならないコンテンツの任意の部分も識別され得る。従って、特定のコンテンツ部分が必要とされてもよく、他の部分は任意選択であってもよい。
【００２１】
トランスコード情報により指定され得る他の変数には、コンテンツプレビューの持続時間、またはビデオフレームの数もしくはテキストの量等が含まれる。上記の又は他の変数が、必要なものまたは任意のものとして指定されてもよく、そのような変数は、例えば最小値および最大値の少なくとも一方の観点から、あるいは他の方法から、範囲で指定され得る。色、コンテンツプレビュー終了期間、イメージおよび／または音声品質等を含む他の変数または要素も指定され得る。例えばトランスコード情報は、コンテンツを取得し得る供給源のアドレス、例えばＩＰ／ＴＣＰユニフォームリソースロケータ（ＵＲＬ）や、他のネットワークアドレスを含んでいてもよい。
【００２２】
一般に、コンテンツプレビュー生成の上述のおよび他の多くの態様は、プレビューに対する所望の制御レベルにさらに依存して、コンテンツトランスコード情報により制御され得る。トランスコード情報は、コンテンツ作成者、譲受人、またはコンテンツに対する制御を有する他のパーティ（例えばライセンシー）により一般に指定または定義される。
【００２３】
いくつかの実施形態では、コンテンツトランスコード情報により、権利もまた伝達され、そのような権利にはコンテンツを再生して閲覧する権利や、場合によっては、コンテンツを複製して配布する権利や、コンテンツプレビューを生成する権利を含めたコンテンツから他のワークを得る権利が挙げられる。許可された権利の内の一部は、それに関連する制限を有する場合があり、そのような制限には例えば生成され配布され得るコンテンツのコピーやプレビューの数に関する制限が含まれる。別の実施形態では、権利は他の手段によって許可されるが、そのような手段のいくつかは公知である。
【００２４】
一般に、許可される権利に依存して、コンテンツプレビューの生成者は、各々のコンテンツプレビューが異なる複数のコンテンツプレビューを生成しうる。いくつかの実施形態では、例えば、作成者は、対応するコンテンツプレビューに含まれるマルチメディアコンテンツの異なる部分の選択に基づいて、複数のコンテンツプレビューを生成し得る。作成者は、異なる顧客に配布するようカスタマイズされたプレビューを生成することが可能であり、そのようなコンテンツプレビューは各々の受取人に特定的にアピールするように特別に誂えて作成される。
【００２５】
図１のブロック１４０では、コンテンツまたはコンテンツプレビューが、通信装置から、例えば別の通信装置に、送信される。図２の例証的なアーキテクチャでは、移動無線通信装置２３０は複数の少なくとも２つの異なるコンテンツプレビューであるプレビュー１とプレビュー２を生成し、それらを第１および第２のピア移動無線通信装置２４０および２５０にそれぞれ送信する。より詳細には、プレビューは、任意の他の装置に、例えば、固定位置のインターネット加入者またはＲＦ対応ノート型コンピュータに、双方向ページャに、もしくは他のピア通信装置に送信され得る。
【００２６】
１実施形態では、コンテンツプレビューは、プレビューが作成された装置により、またはその装置から、自由に配布され得る。いくつかの実施形態では、プレビューは、プレビューが生成されるコンテンツに関連するいかなる権利も失わずに、プレビューが作成された装置により、自由に配布され得る。いくつかの実施形態では、装置で作成されたプレビューは、例えば送信ロックの使用により、一度だけ配布され得る。別の実施形態では、作成者により配布可能なプレビューの数には制限はなく、プレビューは自由に無制限に配布され得る。例えば、受取人のピア通信装置はプレビューまたはそのコピーを他のピア装置に送信し、この他のピア装置もプレビューまたはそのコピーを配布したり、コピーしたり、またはその両方を行ったりし得る。図２では、ピア装置２４０は、第１のプレビューのコピーを、別のピア装置２６０へ転送または送信する。
【００２７】
コンテンツに対する十分な権利を取得することに興味を持っているコンテンツプレビュ
ーの受取人は、コンテンツサーバからまたは他の供給源（例えばオリジナルのコンテンツのコピーを配布する権利を有するプレビュー作成者）から、コンテンツおよびその対応する権利を購入し得る。いくつかの実施形態では、コンテンツプレビューは、１または複数の供給源、例えばウェブアドレスを含むか識別する。コンテンツはそのような供給源から購入されるか、または他の方法で取得され得る。図２では、ピア通信装置２５０は、第２のプレビューのコンテンツを得るために、基地局２２０を介して、コンテンツサーバ２１０とのコンテンツ購入トランザクションに従事する。
【００２８】
図３は、コンテンツプレビューを生成することができる例証的な移動無線通信装置のアーキテクチャ３００である。例証的な移動無線通信装置は、ユーザインタフェース３１０であって、そこからユーザがコンテンツを選択したり、またはそのコンテンツに対するコンテンツプレビューが装置上で作成または生成される、ユーザインタフェース３１０を通常有している。選択されたコンテンツは通常メモリ３２０に格納される。メモリ３２０は通常、ＲＡＭまたは他の記憶媒体である。
【００２９】
選択されたコンテンツが著作権で保護されている実施形態では、コンテンツ選択は著作権プロセッサ３３０にも伝達される。著作権プロセッサ３３０はコンテンツプレビュー生成が許可可能か否かを判定するソフトウェアとして通常実装されている。より一般的には、著作権プロセッサは、コンテンツプレビューと、およびいくつかの実施形態ではコンテンツとの、生成および配布に関連する権利を管理する。
【００３０】
いくつかの実施形態では、著作権生成器は、例えば権利カウンタをデクリメントすることにより、配布用に生成され得るプレビューの数（ＮＰ）ならびにプレビューの生成および配布のためのアカウントを決定する。１実施形態では、ＮＰ＞０である場合、同じくメモりに格納されている対応するトランスコード情報すなわち規則に基づいて、プレビュー生成が許可され、ＮＰはプレビュー生成がされるごとにデクリメントされる。コンテンツプレビューはＮＰ＝０になるまで装置によって生成され得る。この場合、例えばコンテンツサーバから、追加の権利が得られなければならない。例えばユーザがコンテンツをコピーおよび配布する権利を有する応用例では、コンテンツをコピーおよび配布するために、同様の処理が著作権プロセッサにより実行され得る。
【００３１】
プレビュー生成器３４０は、入力、例えばユーザにより選択されたコンテンツに応じて、著作権プロセッサ３３０またはユーザインタフェース３１０により起動され得る。先に論じたように、コンテンツプレビューは、トランスコード情報の制限内で、ユーザインタフェース３１０にて、ユーザにより入力された選択に基づいて生成される。プレビュー生成が許可されない場合、例えばＮＰ＝０の場合、またはプレビュー生成の権利が許可されていない場合、コンテンツプレビューの生成は許可されない。生成されるコンテンツプレビューの数に制限がない場合、または著作権プロセッサによる権利管理が要求されていない場合、プレビュー生成器は直ちに起動され得る。
【００３２】
プレビュー生成器３４０は、ユーザインタフェース３１０で、トランスコード規則および入力に基づいて、メモリ３２０からコンテンツにアクセスすることにより、プレビューを生成する。コンテンツプレビューは、生成されると、メモリ、例えばメモリ３２０に格納される。いくつかの実施形態では、ユーザはプレビュー生成器からユーザインタフェースへの通信により通知される。図３では、著作権プロセッサ３３０とプレビュー生成器３４０を個別のエンティティとして描いているが、より一般にはこれらのエンティティは例えば一つのソフトウェアプログラムとして統合された形式で実装されていてもよい。
【００３３】
図３で、装置アーキテクチャは、コンテンツとコンテンツプレビューを受け取るためのソフトウェア３５０と、通信ソフトウェアおよびハードウェア３７０を介してピア装置３
８０に対してコンテンツとプレビューを共有するためのソフトウェア３６０とを含んでいる。ソフトウェア３５０と３６０は統合されていてもよい。例証的な移動無線通信装置実施形態では、通信ソフトウェアとハードウェアは無線の無線送受信機として実装されるが、他の実施形態では、ケーブルモデムまたは他の通信装置であってもよい。
【００３４】
上述したように、十分なコンテンツを受け取ることに興味を持っているプレビューの受取人は、送信器に対する、または例えばコンテンツサーバ等の別のコンテンツ供給者に対する要求に応答し得る。完全なコンテンツよりも実質的に少ないデータを一般に含んでいるコンテンツプレビューだけを配布すると、それに対応して通信帯域幅の利用が低減する。
【００３５】
本発明と、現時点で本発明の最良の態様と考えられるものを、本願発明者によるその所有権を確立し、当業者による本発明を製造および実施を可能にする方法で説明してきたが、本明細書に開示した例証的実施形態には多くの等価物があり、本発明の範囲および精神から逸脱せずに無数の改変および変更をなし得ることは理解および真に認識されるだろう。本発明の範囲および精神は、例証的実施形態によっては制限されず、添付の特許請求の範囲により制限されるものとする。
【図面の簡単な説明】
【００３６】
【図１】本発明の例証的な動作モードのためのプロセス流れ図。
【図２】本発明が実行され得る例証的な通信アーキテクチャ。
【図３】コンテンツプレビューを生成および配布するための例証的な移動無線通信装置のアーキテクチャ。
【図１】
2006514359.tif 000003
【図２】
2006514359.tif 000004
【図３】
2006514359.tif 000005
【国際調査報告】
2006514359.tif 000006